(57)【要約】【課題】  簡単な構造で、装置全体の小型化を図ることができると共に、効率良く発電することができる発電装置を提供する。【解決手段】  時計モジュール６に設けられた平板状の基板である地板１５の平面上を回転する回転板１７に、その回転中心部である軸孔１７ａから放射状に形成された放射状部２４を備えた第１電極２２と、電荷保持体であるエレクトレット膜２５とを配置する一方で、この第１電極２２の放射状部２４と対向するように地板１５上に、放射状に形成された放射状部２７を備えた第２電極２６を配置している。従って、地板１５に対して回転板１７を一定間隔に保って回転させ、この回転板１７の機械的な回転運動エネルギを効率良く電気エネルギに変換することができる。【選択図】        図７
2010279192.tif 000002
【特許請求の範囲】
【請求項１】
平板状の基板と、
この基板の平面上を回転する回転部材と、
この回転部材に当該回転部材の回転中心部から放射状に形成された放射部を備えた第１電極と、
この第１電極の放射部と対向するように前記平板状の基板上に形成された放射部を備えた第２電極と、
前記第１電極と前記第２電極との一方に設けられた電荷保持体と
を備えていることを特徴とする発電装置。
【請求項２】
前記回転部材は、小径の円形部と、この小径の円形部の外周部に当該円形部よりも大径でほぼ半円弧状に形成された半円弧部とを備えていることを特徴とする請求項１に記載の発電装置。
【請求項３】
前記第１電極の前記放射部は、前記回転部材の前記半円弧部にほぼ半円弧状に形成されていることを特徴とする請求項２に記載の発電装置。
【請求項４】
前記第１電極の前記放射部は、前記回転部材の前記小径の円形部に円形状に形成されていることを特徴とする請求項２に記載の発電装置。
【請求項５】
前記第１電極と前記第２電極との相対的な回転により発生する電荷を蓄電する蓄電部を備えていることを特徴とする請求項１〜請求項４のいずれかに記載の発電装置。
【請求項６】
前記回転部材は、導電性を有する金属からなり、その回転中心部が前記基板から突出した導電性の軸部材に導電性の軸受部材によって回転自在に取り付けられており、
前記蓄電部は回路基板に設けられており、
前記第１電極と前記蓄電部とは、前記回路基板、前記軸部材、および、前記軸受部材をそれぞれ介して電気的に接続されており、且つ前記第２電極と前記蓄電部とは、前記回路基板、および、この回路基板と前記第２電極とを接続する接続部材をそれぞれ介して電気的に接続されていることを特徴とする請求項５に記載の発電装置。
【発明の詳細な説明】
【技術分野】
【０００１】
この発明は、静電誘導を利用した発電装置に関する。
【背景技術】
【０００２】
従来、静電誘導を利用した発電装置として、特許文献１に記載されているような発電装置が知られている。この発電装置は、電荷を保持する電荷保持部材であるエレクトレット電極が複数配列された固定基板と、複数の可動電極が設けられた可動基板とを、互いに対向させて配置し、この状態で外部振動を受けると、可動基板がその平面方向における任意の方向に移動し、エレクトレット電極と可動電極とが相対運動して、エレクトレット電極と可動電極との間の誘導電荷量を変化させることにより、発電するように構成されている。
【先行技術文献】
【特許文献】
【０００３】
【特許文献１】特開２００８−８６１９０号公報
【発明の概要】
【発明が解決しようとする課題】
【０００４】
しかしながら、このような従来の発電装置では、固定基板と可動基板との相対的な機械運動エネルギを電気エネルギに変換する構造であるから、外部振動を受けた際に、固定基板に対して可動基板をその平面方向における任意の方向に移動させるために、可動基板の４辺をそれぞればね部材などで保持する必要があるほか、固定基板に対して可動基板を一定間隔に保った状態で面方向に平行移動させるために、可動基板をガイドするためのガイド部材が必要となり、このため構造が複雑になると共に、装置全体の小型化を図ることができないという問題がある。
【０００５】
この発明が解決しようとする課題は、簡単な構造で、装置全体の小型化を図ることができると共に、効率良く発電することができる発電装置を提供することである。
【課題を解決するための手段】
【０００６】
この発明は、上記課題を解決するために、次のような構成要素を備えている。
請求項１に記載の発明は、平板状の基板と、この基板の平面上を回転する回転部材と、この回転部材に当該回転部材の回転中心部から放射状に形成された放射部を備えた第１電極と、この第１電極の放射部と対向するように前記平板状の基板上に形成された放射部を備えた第２電極と、前記第１電極と前記第２電極との一方に設けられた電荷保持体とを備えていることを特徴とする発電装置である。
【０００７】
請求項２に記載の発明は、前記回転部材が、小径の円形部と、この小径の円形部の外周部に当該円形部よりも大径でほぼ半円弧状に形成された半円弧部とを備えていることを特徴とする請求項１に記載の発電装置である。
【０００８】
請求項３に記載の発明は、前記第１電極の前記放射部が、前記回転部材の前記半円弧部にほぼ半円弧状に形成されていることを特徴とする請求項２に記載の発電装置である。
【０００９】
請求項４に記載の発明は、前記第１電極の前記放射部が、前記回転部材の前記小径の円形部に円形状に形成されていることを特徴とする請求項２に記載の発電装置である。
【００１０】
請求項５に記載の発明は、前記第１電極と前記第２電極との相対的な回転により発生する電荷を蓄電する蓄電部を備えていることを特徴とする請求項１〜請求項４のいずれかに記載の発電装置である。
【００１１】
請求項６に記載の発明は、前記回転部材が、導電性を有する金属からなり、その回転中心部が前記基板から突出した導電性の軸部材に導電性の軸受部材によって回転自在に取り付けられており、前記蓄電部は回路基板に設けられており、前記第１電極と前記蓄電部とは、前記回路基板、前記軸部材、および、前記軸受部材をそれぞれ介して電気的に接続されており、且つ前記第２電極と前記蓄電部とは、前記回路基板、および、この回路基板と前記第２電極とを接続する接続部材をそれぞれ介して電気的に接続されていることを特徴とする請求項５に記載の発電装置である。
【発明の効果】
【００１２】
この発明によれば、外部振動によって回転部材が平板状の基板の平面上を回転する構成であるから、ガイド部材を用いずに、基板に対して回転部材を一定間隔に保って回転させることができると共に、回転部材に設けられた第１電極と基板に設けられた第２電極との一方に設けられた電荷保持体がその他方の電極に対して相対的に回転移動するので、回転部材の機械的な回転運動エネルギを効率良く電気エネルギに変換することができる。このため、構造が簡単で、装置全体の小型化を図ることができると共に、効率良く発電することができる。
【図面の簡単な説明】
【００１３】
【図１】この発明を適用した電子腕時計の実施形態１を示した拡大断面図である。
【図２】図１の電子腕時計を下面側から見た拡大底面図である。
【図３】図２の電子腕時計において裏蓋を取り外した状態を示した拡大底面図である。
【図４】図３の時計モジュールを示した拡大底面図である。
【図５】図４の時計モジュールを示した拡大斜視図である。
【図６】図３の時計モジュールにおいて回転板を取り外した状態を示した拡大底面図である。
【図７】図１のＡ部を示した拡大断面図である。
【図８】図５の回転板を表裏反転させて示した拡大斜視図である。
【図９】図８の回転板を上方から見た拡大平面図である。
【図１０】図１の電子腕時計に組み込まれた発電装置の回路構成を示した図である。
【図１１】この発明を適用した電子腕時計の実施形態２において発電装置の要部を示した拡大断面図である。
【図１２】図１１の発電装置における回転板を示した拡大平面図である。
【図１３】図１１の発電装置における時計モジュールの地板側を示した拡大底面図である。
【図１４】この発明を適用した電子腕時計の実施形態３において発電装置の要部を示した拡大断面図である。
【図１５】図１４の発電装置における回転板を示した拡大平面図である。
【図１６】図１４の発電装置における時計モジュールの地板側を示した拡大底面図である。
【図１７】この発明を適用した電子腕時計の実施形態４において発電装置の要部を示した拡大断面図である。
【図１８】図１７の発電装置における回転板を示した拡大平面図である。
【図１９】図１７の発電装置における時計モジュールの地板側を示した拡大底面図である。
【図２０】この発明を適用した電子腕時計の実施形態５を示した拡大断面図である。
【図２１】図２０の時計モジュールを下面側から見た状態を示した拡大斜視図である。
【図２２】図２０のＢ部を示した拡大断面図である。
【図２３】図２１の回転板を示した拡大底面図である。
【図２４】図２０の裏蓋を上方から見た状態を示した拡大平面図である。
【図２５】実施形態５の裏蓋に設けられた第２電極の変形例を示した拡大平面図である。
【図２６】実施形態１〜５における回転板の変形例を示した拡大平面図である。
【発明を実施するための形態】
【００１４】
（実施形態１）
以下、図１〜図１０を参照して、この発明を電子腕時計に適用した実施形態１について説明する。
この電子腕時計は、図１に示すように、腕時計ケース１を備えている。この腕時計ケース１は、ケース本体２と、このケース本体２の上部外周に設けられたリング状のべゼル３とを備えている。
【００１５】
この腕時計ケース１の上部開口部つまりべゼル３の上部開口部には、時計ガラス４がパッキン４ａを介して取り付けられており、腕時計ケース１の下部つまりケース本体２の下部には、図１および図２に示すように、裏蓋５が防水リング５ａを介して取り付けられている。また、この腕時計ケース１内には、時計モジュール６が設けられている。この時計モジュール６は、図１に示すように、上部ハウジング７と下部ハウジング８とを備え、これらの間に回路基板９が設けられた構成になっている。
【００１６】
この場合、上部ハウジング７の上面には、文字板１０が設けられている。この上部ハウジング７内には、時計ムーブメント（図示せず）が設けられている。この時計ムーブメントは、その指針軸１１ａが文字板１０の上方に突出し、この突出した上端部に秒針、分針、時針などの指針１１ｂが取り付けられ、この指針１１ｂが文字板１０の上方を運針することにより、時刻を指示するように構成されている。
【００１７】
また、下部ハウジング８内には、図３〜図６に示すように、電池１２を収納する電池収納部１３が設けられていると共に、アンテナ１４が設けられている。この下部ハウジング８の下面（図６では表面）には、図６に示すように、金属製の地板１５が電池収納部１３およびアンテナ１４に対応する箇所を除いて設けられている。この地板１５は、その周縁部に複数のフック部１５ａが設けられ、この複数のフック部１５ａが上部ハウジング７の側面に係止されることにより、上部ハウジング７を下部ハウジング８に対して固定するように構成されている。
【００１８】
この下部ハウジング８の下面側（図６では表面側）には、図１および図７に示すように、発電装置１６が設けられている。この発電装置１６は、平板状の基板である地板１５と、この地板１５の平面に対面して回転する回転板１７とを備えている。この回転板１７は、導電性を有する金属からなり、図１に示すように、その中心部が下部ハウジング８に取り付けられて地板１５の下側に突出した固定軸１８に、ベアリング１９を介して取り付けられている。
【００１９】
すなわち、固定軸１８は、図１に示すように、回転板１７の中心部に設けられた軸孔１７ａを通して、下部ハウジング８に埋め込まれたナット部８ａに螺着することにより、下部ハウジング８に取り付けられている。回転板１７は、その中心部の軸孔１７ａに対応してベアリング１９が設けられ、このベアリング１９が固定軸１８に回転自在に取り付けられることにより、地板１５の下面に対して常に一定間隔を保った状態で、固定軸１８を中心に回転するように構成されている。
【００２０】
この場合、固定軸１８とナット部８ａとは、導電性を有する金属からなり、このナット部８ａが上部ハウジング７と下部ハウジング８との間に配置された回路基板９と電気的に接続されている。これにより、回転板１７は、固定軸１８およびナット部８ａを介して回路基板９と電気的に接続されている。なお、固定軸１８は、時計ムーブメントの指針軸１１ａと同一軸上に配置されているが、必ずしも指針軸１１ａと同一軸上に配置される必要はない。
【００２１】
また、この回転板１７は、図５、図８および図９に示すように、小径の円形部２０と、この小径の円形部２０よりも大径でほぼ半円弧状に形成された半円弧部２１とを備えている。小径の円形部２０は、その中心部に固定軸１８が挿入する軸孔１７ａが設けられている。半円弧部２１は、その外周部に錘部２１ａが設けられた状態で、小径の円形部２０の外周部に一体に形成されている。これにより、回転板１７は、外部振動を受けると、半円弧部２１の錘部２１ａによる慣性によって固定軸１８を中心に回転するように構成されている。
【００２２】
また、この回転板１７の上面には、図１、図７〜図９に示すように、第１電極２２が絶縁膜２３を介して設けられている。この場合、絶縁膜２３は、図８および図９に示すように、回転板１７の半円弧部２１における上面のほぼ全域に設けられている。この絶縁膜２３上に設けられた第１電極２２は、回転板１７の回転中心部である軸孔１７ａから放射状に形成された放射状部２４を備えている。
【００２３】
この放射状部２４は、図７、図８および図９に示すように、回転板１７の半円弧部２１に設けられた絶縁膜２３上に多数の電極片２４ａが一定間隔で放射状に配列された構成になっている。すなわち、この放射状部２４は、多数の電極片２４ａがほぼ一定の幅で放射方向に向けて細長く形成されていると共に、互いに隣接する各電極片２４ａが一定間隔の隙間をもって配列されている。
【００２４】
また、この放射状部２４は、多数の電極片２４ａがその内周端と外周端とにおいてすべて接続された状態で、絶縁膜２３の側方に導かれて回転板１７と電気的に接続されている。これにより、第１電極２２は、回転板１７および固定軸１８を介して回路基板９と電気的に接続されている。また、この各電極片２４ａ上には、図７に示すように、電荷保持体であるエレクトレット膜２５が形成されている。このエレクトレット膜２５は、半永久的な電荷をもつ絶縁体であり、フロロカーボン樹脂やアモルファスフッ素樹脂などの電荷保持材料からなっている。
【００２５】
このエレクトレット膜として使用可能な電荷保持材料は、例えば、ポリプロピレン（ＰＰ）、ポリエチレンテレフタレート（ＰＥＴ）、ポリビニルクロライド（ＰＶＣ）、ポリスチレン（ＰＳ）、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、テトラフルオロエチレン−エチレン共重合体（ＥＴＦＥ）、ポリビニルデンジフルオライド（ＰＶＤＦ）、ポリクロロトリフルオロエチレン（ＰＣＴＦＥ）、クロロトリフルオロエチレン−エチレン共重合体（ＥＣＴＦＥ）、およびポリビニルフルオライド（ＰＶＦ）のような高分子電荷保持材料、またはシリコン酸化物（ＳｉＯ２）およびシリコン窒化物（ＳｉＮ）のような無機電荷保持材料である。
【００２６】
一方、回転板１７に対向する基板である地板１５の下面には、図６および図７に示すように、第２電極２６が絶縁膜２７を介して設けられている。この場合、絶縁膜２７は、図６に示すように、回転板１７の第１電極２２が回転移動する移動軌跡上に対応する箇所に、第１電極２２の半円弧に対して更に半分程度（約９０°の角度範囲）の大きさで設けられており、この絶縁膜２７の下面（図６では表面）には、第２電極２６が設けられている。この第２電極２６は、導電性を有する金属からなり、回転板１７の回転中心部である固定軸１８から放射状に形成された放射状部２８を備えている。
【００２７】
この放射状部２８は、図６に示すように、地板１５に設けられた絶縁膜２７上に多数の電極片２８ａが一定間隔で放射状に配列された構成になっている。すなわち、この放射状部２８は、第１電極２２の放射状部２４と同様、多数の電極片２８ａがほぼ一定の幅で放射方向に向けて細長く形成されていると共に、互いに隣接する各電極片２８ａが一部を除いて一定間隔の隙間をもって配列されている。また、この放射状部２８は、多数の電極片２８ａがその内周端と外周端とにおいてすべて接続された状態で、絶縁膜２７の上面に露出し、図７に示すように、露出した部分がコイルばねなどの接続部材２９によって回路基板９と電気的に接続されている。
【００２８】
これにより、この発電装置１６は、回転板１７が回転して、回転板１７に設けられた第１電極２２が地板１５に設けられた第２電極２６に対して相対的に回転移動すると、第１電極２２の多数の電極片２４ａ上に形成されたエレクトレット膜２５と第２電極２６の多数の電極片２８ａとが相対的に移動して、第１電極２２のエレクトレット膜２５と第２電極２６との間の誘導電荷量が変化することにより、発電するように構成されている。
すなわち、第１電極２２のエレクトレット膜２５と第２電極２６とが相対的に移動すると、静電誘導によりエレクトレット膜２５側の電荷が対向する第２電極２６側に流れることにより、発電が行なわれる。
【００２９】
次に、この発電装置１６の回路構成について、図１０に示された原理的な図を参照して説明する。
この発電装置１６においては、第１電極２２が第１、第２の各整流器３０、３１に接続され、第２電極２６が第３、第４の各整流器３２、３３に接続されている。第１整流器３０は蓄電池３４の正極（＋）に接続され、第２整流器３１は蓄電池３４の負極（−）に接続され、第３整流器３２は蓄電池３４の正極（＋）に接続され、第４整流器３３は蓄電池３４の負極（−）に接続された構成になっている。
【００３０】
この場合、第１整流器３０と第４整流器３３とは、第１電極２２が第２電極２６に対して一方向（例えば、時計回り方向）に回転移動した際に、電荷を蓄電池３４に蓄えるように電流の流れを整流するように構成されている。また、第２整流器３１と第３整流器３２とは、第１電極２２が第２電極２６に対して逆方向（例えば、反時計回り方向）に回転移動した際に、電荷を蓄電池３４に蓄えるように電流の流れを整流するように構成されている。
【００３１】
次に、この電子腕時計を腕に取り付けて使用する場合について説明する。
まず、腕を振って歩きながら電子腕時計を軽く振った場合には、回転板１７が小径の円形部２０の外周部に設けられた半円弧部２１の錘部２１ａによる慣性によって回転する。このときには、半円弧部２１の外周部に錘部２１ａが設けられているので、腕の振りに応じて回転板１７に慣性力が発生し、この慣性力によって回転板１７が地板１５に対して一定間隔を保って回転する。
【００３２】
このとき、回転板１７は、必ずしも１回転（３６０°の角度回転）せず、腕の振りによる慣性力に応じた角度範囲で揺動する。このため、回転板１７は例えば時計周りに所定の角度回転した後、反時計回りに所定の角度回転し、この動作を繰り返すことにより、発電を繰り返して蓄電池３４に蓄電する。このとき、回転板１７が１８０°の角度範囲で回転する場合には、常に第１電極２２の多数の電極片２４ａ上に形成されたエレクトレット膜２５と第２電極２６の多数の電極片２５ａとが互いに対向した状態で相対的に移動するので、連続して発電する。
【００３３】
すなわち、回転板１７が時計周りに１８０°の角度範囲内における角度で回転するときに、第１電極２２の多数の電極片２４ａ上に形成されたエレクトレット膜２５と第２電極２６の多数の電極片２５ａとが相対的に移動して、第１電極２２の多数のエレクトレット膜２５と第２電極２６の多数の電極片２５ａとの間の誘導電荷量が変化することにより、発電して電荷を蓄電池３４に蓄える。
【００３４】
また、回転板１７が反時計周りに１８０°の角度範囲内における角度で回転するときにも、第１電極２２の多数の電極片２４ａ上に形成されたエレクトレット膜２５と第２電極２６の多数の電極片２５ａとが相対的に移動して、第１電極２２の多数のエレクトレット膜２５と第２電極２６の多数の電極片２５ａとの間の誘導電荷量が変化することにより、発電して電荷を蓄電池３４に蓄える。
【００３５】
一方、電子腕時計が取り付けられた腕を曲げて上下方向に速く動かした場合には、当該電子腕時計内の回転板１７が小径の円形部２０の外周部に設けられた半円弧部２１の錘部２１ａによる慣性によって同じ方向（時計方向または反時計方向）に連続して回転する。このときには、多数のエレクトレット膜２５を備えた第１電極２２が半円弧部２１に設けられているので、回転板１７が半回転（１８０°回転）するときに、第２電極２６が第１電極２２の一部に必ず対向するが、次の半回転（１８０°〜３６０°の角度回転）のときには、第２電極２６が第１電極２２に対向する範囲が狭くなり、第１、第２の各電極２２、２６の両者が対向しない範囲がある。
【００３６】
このため、第２電極２６が第１電極２２の一部に対向した状態で、回転板１７が半回転するときに、第１電極２２の多数の電極片２４ａに形成されたエレクトレット膜２５と第２電極２６の多数の電極片２５ａとが相対的に移動して、第１電極２２の多数のエレクトレット膜２５と第２電極２６の多数の電極片２５ａとの間の誘導電荷量が変化することにより、発電して電荷を蓄電池３４に蓄える。
【００３７】
また、次の半回転（１８０°〜３６０°の角度回転）のときには、第２電極２６が第１電極２２に対向する範囲が狭くなるため、第１電極２２の多数のエレクトレット膜２５と第２電極２６の多数の電極片２５ａとの間の誘導電荷量が変化する範囲が狭くなり、発電量が少なくなり、第１、第２の各電極２２、２６の両者が対向しない範囲のときには発電しない。これにより、回転板１７が連続して一方向に回転するときには、回転板１７のほぼ半回転ごとに発電を行うため、ほぼ半回転ごとに間欠的に電荷を蓄電池３４に蓄電する。
【００３８】
このように、この電子腕時計の発電装置１６によれば、時計モジュール６に設けられた平板状の基板である地板１５と、この地板１５の平面上を回転する回転板１７と、この回転板１７にその回転中心部である軸孔１７ａから放射状に形成された放射状部２４を備えた第１電極２２と、この第１電極２２の放射状部２４と対向するように地板１５上に形成された放射状部２７を備えた第２電極２６と、第１電極２２と第２電極２６との一方に設けられた電荷保持体であるエレクトレット膜２５とを備えているので、簡単な構造で、装置全体の小型化を図ることができると共に、効率良く発電することができる。
【００３９】
すなわち、この発電装置１６によれば、外部振動によって回転板１７が平板状の地板１５の平面上を回転する構成であるから、ガイド部材を用いずに、地板１５に対して回転板１７を固定軸１８によって一定間隔に保って回転させることができると共に、回転板１７に設けられた第１電極２２上に電荷保持体であるエレクトレット膜２５が形成され、この第１電極２２のエレクトレット膜２５と地板１５に設けられた第２電極２６とが相対的に回転移動するので、回転板１７の機械的な回転運動エネルギを効率良く電気エネルギに変換することができる。このため、構造が簡単で、装置全体の小型化を図ることができると共に、効率良く発電することができる。
【００４０】
この場合、回転板１７は、小径の円形部２０と、この小径の円形部２０の外周部にその円形部２０よりも大径でほぼ半円弧状に形成された半円弧部２１とを備えているので、固定軸１８によって回転板１７を地板１５に対して一定の間隔で回転自在に取り付けることにより、外部振動を受けると、回転板１７の半円弧部２１に慣性が生じ、この慣性によって回転板１７を地板１５に対して一定間隔で回転させることができるので、外部振動に応じて回転板１７を良好に回転させることができる。
【００４１】
例えば、電子腕時計を腕に取り付けて歩きながら腕を振ると、回転板１７が、必ずしも１回転（３６０°の角度）せず、腕の振りによる慣性力に応じた角度範囲で揺動するので、回転板１７が例えば時計周りに所定角度で回転した後、反時計回りに所定角度で回転し、この動作を繰り返すことにより、発電することができる。また、電子腕時計が取り付けられた腕を曲げて上下方向に速く動かすと、回転板１７がその慣性力によって同じ方向（時計方向または反時計方向）に回転するので、回転板１７を連続させて回転させて発電することができる。
【００４２】
また、第１電極２２の放射状部２４は、その多数の電極片２４ａが回転板１７の半円弧部２１にほぼ半円弧状に配列されていることにより、回転板１７が、必ずしも１回転（３６０°の角度回転）せず、腕の振りによる慣性力に応じた角度（例えば１８０°の角度）範囲で揺動する際に、第２電極２６の多数の電極片２８ａを常に第１電極２２の多数の電極片２４ａに形成されたエレクトレット膜２５に対向させた状態で相対的に移動させることができるので、連続して発電することができる。
【００４３】
また、回転板１７が腕の振りによる慣性力に応じて連続して回転する際には、第１電極２２の放射状部２４が回転板１７の半円弧部２１にほぼ半円弧状に形成されていることにより、回転板１７が半回転（１８０°回転）するときに、第２電極２６が第１電極２２の一部に対向して発電することができ、次の半回転（１８０°〜３６０°の角度回転）のときに、第２電極２６が第１電極２２に対向する範囲が狭くなり、発電量が減少し、第１、第２の各電極２２、２６の両者が対向しない範囲のときには発電しないため、回転板１７が連続して回転するときには、回転板１７のほぼ半回転ごとに間欠的に発電を行うことができる。
【００４４】
また、この発電装置１６によれば、第１電極２２と第２電極２６との相対的な回転により発生する電荷を蓄電する蓄電池３４を備えていることにより、回転板１７の回転動作に応じて第１電極２２のエレクトレット膜２５と地板１５に設けられた第２電極２６との間に発生した電荷を良好に且つ確実に蓄電池３４に蓄えることができる。
【００４５】
さらに、この発電装置１６によれば、回転板１７が導電性を有する金属からなり、その回転中心部が導電性の固定軸１８に導電性のベアリング１９によって回転自在に取り付けられており、蓄電部３４は回路基板９に設けられており、第１電極２２と蓄電部３４とは、回路基板９、固定軸１８、およびベアリング１９をそれぞれ介して電気的に接続されており、且つ第２電極２６と蓄電部３４とは、回路基板９、およびこの回路基板９と第２電極２６とを接続する接続部材２９をそれぞれ介して電気的に接続されているので、簡単な構成で、回転板１７が導電性の固定軸１８の軸回りを３６０°の角度以上回転する構成であっても、第１電極２２と蓄電部３４とを確実に且つ良好に接続することができる。
【００４６】
（実施形態２）
次に、図１１〜図１３を参照して、この発明を適用した電子腕時計の実施形態２について説明する。なお、図１〜図１０に示された実施形態１と同一部分には同一符号を付して説明する。
この電子腕時計は、発電装置４０の第１電極４１と第２電極４２とが実施形態１と異なる構成であり、これ以外は実施形態１とほぼ同じ構成になっている。
【００４７】
すなわち、この発電装置４０は、実施形態１と同様、平板状の基板である地板１５と、この地板１５の平面に対面して回転する回転板１７とを備えている。この場合、地板１５は、図１３に示すように、全体がほぼ円形状に形成され、下部ハウジング８の下面全体をほぼ覆うように構成されている。回転板１７は、実施形態１と同様、導電性を有する金属からなり、その中心部が下部ハウジング８に取り付けられて地板１５の下側に突出した固定軸１８に、ベアリング１９によって回転自在に取り付けられ、地板１５の下面に対して常に一定間隔を保った状態で、回転するように構成されている。
【００４８】
また、この回転板１７は、図１２に示すように、小径の円形部２０と、この小径の円形部２０よりも大径でほぼ半円弧に形成された半円弧部２１とを備えている。小径の円形部２０は、その中心部に固定軸１８が挿入する軸孔１７ａが設けられている。半円弧部２１は、その外周部に錘部２１ａが設けられ、この状態で小径の円形部２０の外周部に設けられている。これにより、回転板１７は、外部振動を受けると、半円弧部２１の錘部２１ａによる慣性によって固定軸１８を中心に回転するように構成されている。
【００４９】
また、この回転板１７の上面には、図１１および図１２に示すように、第１電極４１が絶縁膜４３を介して設けられている。この場合、絶縁膜４３は、回転板１７の円形部２０における上面のほぼ全域に円形状に設けられている。この絶縁膜４３上に設けられた第１電極４１は、回転板１７の回転中心部である軸孔１７ａから放射状に形成された放射状部４４を備えている。この放射状部４４は、図１２に示すように、回転板１７の円形部２０に設けられた絶縁膜４３上に多数の電極片４４ａが一定間隔で放射状に配列された構成になっている。
【００５０】
すなわち、この放射状部４４は、多数の電極片２４ａがほぼ一定の幅で放射方向に向けて細長く形成されていると共に、互いに隣接する各電極片２４ａが一定間隔の隙間をもって配列されている。また、この放射状部４４は、多数の電極片４４ａがその内周端と外周端とにおいてすべて接続された状態で、絶縁膜４３の側方に導かれて回転板１７と電気的に接続されている。これにより、第１電極４１は、回転板１７および固定軸１８を介して回路基板９と電気的に接続されている。この場合にも、各電極片４４ａ上には、実施形態１と同様、電荷保持体であるエレクトレット膜２５が形成されている。
【００５１】
一方、回転板１７に対向する基板である地板１５の下面には、図１１および図１３に示すように、第２電極４２が絶縁膜４５を介して設けられている。この絶縁膜４５は、回転板１７の第１電極４１に対応する箇所に、第１電極４１と同じ大きさの円形状に形成されており、この絶縁膜４５の下面（図１３では表面）には、第２電極４２が設けられている。この第２電極４２も、実施形態１と同様、導電性を有する金属からなり、回転板１７の回転中心部である固定軸１８から放射状に形成された放射状部４６を備えている。
【００５２】
この放射状部４６は、図１３に示すように、地板１５に設けられた絶縁膜４５に多数の電極片４６ａが一定間隔で放射状に配列された構成になっている。すなわち、この放射状４６は、第１電極４１の放射状部４４と同様、多数の電極片４６ａがほぼ一定の幅で放射方向に向けて細長く形成されていると共に、互いに隣接する各電極片４６ａが一定間隔の隙間をもって配列されている。また、この放射状部４６は、多数の電極片４６ａがその内周端と外周端とにおいてすべて接続された状態で、絶縁膜４５の上面側に露出し、図１１に示すように、露出した部分がコイルばねなどの接続部材２９によって回路基板９と電気的に接続されている。
【００５３】
これにより、この発電装置４０は、回転板１７が回転して、回転板１７に設けられた第１電極４１が地板１５に設けられた第２電極４２に対して相対的に回転移動すると、第１電極４１の多数の電極片４４ａに形成されたエレクトレット膜２５と第２電極４２の多数の電極片４６ａとが相対的に移動して、第１電極４１の多数のエレクトレット膜２５と第２電極４２の多数の電極片４６ａとの間の誘導電荷量が変化することにより、発電するように構成されている。
【００５４】
次に、この電子腕時計を腕に取り付けて使用する場合について説明する。
まず、腕を振って歩きながら電子腕時計を軽く振った場合には、実施形態１と同様、腕の振りに応じて回転板１７が地板１５に対して一定間隔を保って回転する。このとき、回転板１７は、必ずしも１回転（３６０°の角度回転）せず、腕の振りによる慣性力に応じた角度範囲で揺動する。このため、回転板１７は例えば時計周りに所定の角度回転した後、反時計回りに所定の角度回転し、この動作を繰り返すことにより、発電を繰り返して蓄電池３４に蓄電する。
【００５５】
すなわち、回転板１７が時計周りに所定角度回転するときには、第１電極４１の多数の電極片４４ａ上に形成されたエレクトレット膜２５と第２電極４２の多数の電極片４６ａとが相対的に移動して、第１電極４１の多数のエレクトレット膜２５と第２電極４２の多数の電極片４６ａとの間の誘導電荷量が変化することにより、発電を行ない、蓄電池３４に蓄電する。
【００５６】
また、回転板１７が反時計周りに所定の角度回転するときにも、第１電極４１の多数の電極片４４ａ上に形成されたエレクトレット膜２５と第２電極４２の多数の電極片４６ａとが相対的に移動して、第１電極４１の多数のエレクトレット膜２５と第２電極４２の多数の電極片４６ａとの間の誘導電荷量が変化することにより、発電を行ない、蓄電池３４に蓄電する。
【００５７】
一方、電子腕時計が取り付けられた腕を曲げて上下方向に速く動かした場合には、回転板１７が小径の円形部２０の外周部に設けられた半円弧部２１の錘部２１ａによる慣性によって同じ方向（時計方向または反時計方向）に連続して回転する。このときには、多数のエレクトレット膜２５を備えた第１電極２２が円形部２０に設けられているので、第１電極４１の多数のエレクトレット膜２５と第２電極４２の多数の電極片４６ａとが常に対向して相対的に回転移動して、第１電極４１の多数のエレクトレット膜２５と第２電極４２の多数の電極片４６ａとの間の誘導電荷量を変化させるので、連続して発電を行ない、蓄電池３４に蓄電する。
【００５８】
このように、この電子腕時計の発電装置４０によれば、実施形態１と同様の作用効果があるほか、第１電極４１の放射状部４４が回転板１７の円形部２０に円形状に形成されていることにより、第１電極４１の多数の電極片４４ａに形成されたエレクトレット膜２５を第２電極４２の多数の電極片４６ａに常に対向させた状態で相対的に移動させることができ、これにより腕の振りによる回転板１７の回転に応じて連続して発電を行うことができるので、実施形態１よりも、更に効率良く発電することができる。
【００５９】
（実施形態３）
次に、図１４〜図１６を参照して、この発明を適用した電子腕時計の実施形態３について説明する。この場合には、図１１〜図１３に示された実施形態２と同一部分に同一符号を付して説明する。
この電子腕時計は、発電装置５０の第１電極５１と第２電極５２とが実施形態２と異なる構成であり、これ以外は実施形態２と同じ構成になっている。
【００６０】
すなわち、回転板１７の上面には、図１４および図１５に示すように、第１電極５１が絶縁膜５３を介して設けられている。この絶縁膜５３は、回転板１７の円形部２０および半円弧部２１における上面のほぼ全域に設けられている。この絶縁膜５３上に設けられた第１電極５１は、回転板１７の回転中心部である軸孔１７ａから放射状に形成された放射状部５４を備えている。
【００６１】
この放射状部５４は、図１５に示すように、回転板１７の円形部２０と半円弧部２１とに亘って設けられた絶縁膜５３上に多数の電極片５４ａが一定間隔で放射状に配列された構成になっている。すなわち、この放射状部５４は、回転板１７の円形部２０に位置する部分の電極片５４ａが円形状に形成され、回転板１７の半円弧部２１に位置する部分の電極片５４ａが半円弧状に形成されている。
【００６２】
この場合にも、放射状部５４は、多数の電極片５４ａがほぼ一定の幅で放射方向に向けて細長く形成されていると共に、互いに隣接する各電極片５４ａが一定間隔の隙間をもって配列されている。また、この放射状部５４は、多数の電極片５４ａがその内周端と外周端とにおいてすべて接続された状態で、絶縁膜５３の側方に導かれて回転板１７と電気的に接続されている。この各電極片５４ａ上には、実施形態２と同様、電荷保持体であるエレクトレット膜２５が形成されている。
【００６３】
一方、回転板１７に対向する基板である地板１５の下面（図１６では表面）には、図１４および図１６に示すように、第２電極５２が絶縁膜５５を介して設けられている。この絶縁膜５５は、回転板１７の第１電極５１が回転移動する回転移動軌跡上に対応する箇所、つまり回転板１７の小径の円形部２０に対応する箇所、および回転板１７の半円弧部２１の回転移動軌跡上に対応する箇所の両者に亘って、第１電極５１とほぼ同じ形状で形成されている。
【００６４】
この絶縁膜５５の下面に設けられた第２電極５２は、実施形態２と同様、回転板１７の回転中心部である固定軸１８から放射状に形成された放射状部５６を備えている。この放射状部５６は、図１６に示すように、地板１５に設けられた絶縁膜５５に多数の電極片５６ａが一定間隔で放射状に配列された構成になっている。すなわち、この放射状部５６は、回転板１７の小径の円形部２０に対応する部分の電極片５６ａと、回転板１７の半円弧部２１に対応する部分の電極片５６ａとを備えている。
【００６５】
この場合、放射状部５６は、図１６に示すように、回転板１７の半円弧部２１に対応する部分の電極片５６ａが、第１電極５１のほぼ半分程度（約９０°の角度範囲）の大きさに形成された構成になっている。また、この放射状部５６も、多数の電極片５６ａがその内周端と外周端とにおいてすべて接続された状態で、絶縁膜５５の上面に露出し、図１４に示すように、露出した部分がコイルばねなどの接続部材２９によって回路基板９と電気的に接続されている。
【００６６】
これにより、この発電装置５０は、回転板１７が回転して、回転板１７に設けられた第１電極５１が地板１５に設けられた第２電極４２に対して相対的に回転移動すると、第１電極５１の多数の電極片５４ａに形成されたエレクトレット膜２５と第２電極５２の多数の電極片５６ａとが相対的に移動して、第１電極５１の多数のエレクトレット膜２５と第２電極５２の多数の電極片５６ａとの間の誘導電荷量が変化することにより、発電するように構成されている。
【００６７】
このように、この電子腕時計の発電装置５０においても、第１電極５１の放射状部５４が回転板１７の円形部２０および半円弧部２１に亘って形成されていることにより、実施形態１、２と同様、第１電極５１の多数の電極片５４ａに形成されたエレクトレット膜２５を第２電極５２の多数の電極片５６ａに常に対向させた状態で相対的に移動させることができ、これにより腕の振りによる回転板１７の回転に応じて連続して発電を行うことができる。
【００６８】
すなわち、第１電極５１は、その放射状部５４の一部が回転板１７の小径の円形部２０に設けられており、第２電極５２は、その放射状部５６の一部が回転板１７の小径の円形部２０に対応して設けられているので、実施形態２と同様に発電することができ、また第１電極５１は、その放射状部５４における他の一部が回転板１７の半円弧部２１に設けられており、第２電極５２は、その放射状部５６における他の一部が回転板１７の半円弧部２１に設けられた第１電極５１の回転移動軌跡上に対応する箇所に設けられているので、実施形態１と同様に発電することができ、これにより実施形態１、２の両者を合わせた分に相当する発電を行うことができる。
【００６９】
（実施形態４）
次に、図１７〜図１９を参照して、この発明を適用した電子腕時計の実施形態４について説明する。この場合には、図１４〜図１６に示された実施形態３と同一部分に同一符号を付して説明する。
この電子腕時計は、発電装置６０の第１電極６１と第２電極６２とが実施形態３と少し異なる構成であり、これ以外は実施形態３と同じ構成になっている。
【００７０】
すなわち、回転板１７の上面には、実施形態３と同様、第１電極６１が絶縁膜５３を介して設けられている。この絶縁膜５３も、回転板１７の円形部２０および半円弧部２１における上面のほぼ全域に設けられている。この絶縁膜５３上に設けられた第１電極６１は、回転板１７の回転中心部である軸孔１７ａから放射状に形成された第１、第２の各放射状部６３、６４を備えている。第１放射状部６３は、図１８に示すように、回転板１７の円形部２０に位置する絶縁膜５３上に多数の電極片６３ａが一定間隔で放射状に配列された構成になっている。
【００７１】
また、第２放射状部６４は、図１８に示すように、回転板１７の半円弧部２１に位置する絶縁膜５３上に多数の電極片６４ａが第１放射状部６３の電極片６３ａと異なる間隔で放射状に配列された構成になっている。すなわち、この第２放射状部６４は、多数の電極片６４ａが第１放射状部６３の電極片６３ａの間隔よりも広い間隔で形成されている。
【００７２】
そして、これら第１、第２の各放射状部６３、６４は、各電極片６３ａ、６４ａがその内周端と外周端とにおいてすべて接続された状態で、絶縁膜５３の側方に導かれて回転板１７と電気的に接続されている。この場合にも、第１、第２の各放射状部６３、６４の各電極片６３ａ、６４ａ上には、実施形態３と同様、電荷保持体であるエレクトレット膜２５がそれぞれ形成されている。
【００７３】
一方、回転板１７に対向する基板である地板１５の下面(図１９では表面)には、図１７および図１９に示すように、第２電極６２が絶縁膜５５を介して設けられている。この絶縁膜５５も、実施形態３と同様、回転板１７の第１電極５１が回転移動する回転移動軌跡上に対応する箇所、つまり回転板１７の小径の円形部２０に対応する箇所、および回転板１７の半円弧部２１の回転移動軌跡上に対応する箇所の両者に亘って、第１電極６１とほぼ同じ形状で形成されている。
【００７４】
この絶縁膜５５の下面に設けられた第２電極５２は、実施形態３と同様、回転板１７の回転中心部である固定軸１８から放射状に形成された第３、第４の各放射状部６５、６６を備えている。すなわち、第３放射状部６５は、第１電極６１の第１放射状部６３に対応して円形状に設けられており、第４放射状部６６は、第１電極６１の第２放射状部６４の回転移動軌跡上に対応する箇所に約９０°の角度範囲の半円弧状に設けられている。
【００７５】
この場合、第３放射状部６５は、図１９に示すように、地板１５に設けられた絶縁膜５５に多数の電極片６５ａが第１電極６１の第１放射状部６３の各電極片６３ａと同じ間隔で放射状に配列された構成になっている。また、第４放射状部６６は、図１９に示すように、地板１５に設けられた絶縁膜５５に多数の電極片６６ａが第１電極６１の第２放射状部６４の各電極６４ａと同じ間隔で放射状に配列された構成になっている。
【００７６】
すなわち、この第４放射状部６６は、多数の電極片６６ａが第３放射状部６５の電極片６５ａの間隔よりも広い間隔で形成されている。そして、これら多数の電極片６５ａ、６６ａは、その内周端と外周端とにおいてすべて接続された状態で、絶縁膜５５の上面側に露出し、図１７に示すように、露出した部分がコイルばねなどの接続部材２９によって回路基板９と電気的に接続されている。
【００７７】
これにより、この発電装置６０は、回転板１７が回転して、回転板１７に設けられた第１電極６１が地板１５に設けられた第２電極６２に対して相対的に回転移動すると、第１電極６１における第１、第２の各放射状部６３、６４の各多数の電極片６３ａ、６４ａに形成されたエレクトレット膜２５が第２電極６２における第３、第４の各放射状部６５、６６の各多数の電極片６５ａ、６６ａに対して相対的に移動して、第１電極６１における第１、第２の各放射状部６３、６４の各多数のエレクトレット膜２５と第２電極６２における第３、第４の各放射状部６５、６６の各多数の電極片６５ａ、６６ａとの間の誘導電荷量が変化することにより、発電するように構成されている。
【００７８】
このように、この電子腕時計の発電装置６０においても、実施形態３と同様、第１電極６１の第１、第２の各放射状部６３、６４が回転板１７の円形部２０および半円弧部２１に亘って形成されていることにより、第１電極５１における第１、第２の各放射状部６３、６４の多数の電極片６３ａ、６４ａに形成されたエレクトレット膜２５と、第２電極６２における第３、第４の各放射状部６５、６６の多数の電極片６５ａ、６６ａとを、相対的に移動させることができ、これにより実施形態３と同様、腕の振りによる回転板１７の回転に応じて連続して発電を行うことができる。
【００７９】
すなわち、第１電極６１は、その第１放射状部６３が回転板１７の小径の円形部２０に設けられており、第２電極６２は、その第３放射状部６５が回転板１７の小径の円形部２０に対応して設けられているので、実施形態２と同様に発電することができ、また第１電極６１は、その第２放射状部６４が回転板１７の半円弧部２１に設けられており、第２電極６２は、その第４放射状部６６が回転板１７の半円弧部２１に設けられた第１電極６１の第２放射状部６４の回転移動軌跡上に対応する箇所に設けられているので、実施形態１と同様に発電することができ、これにより実施形態１、２の両者を合わせた分に相当する発電を行うことができる。
【００８０】
この場合には、第１電極６１の第１放射状部６３における多数の電極片６３ａの間隔と、第２電極６２の第３放射状部６５における多数の電極片６５ａの間隔とが同じ間隔で対応しているので、所定の周波数で発電することができると共に、第１電極６１の第２放射状部６４における多数の電極片６４ａの間隔と、第２電極６２の第４放射状部６６における多数の電極片６６ａの間隔とが同じ間隔で、且つ第１、第３の各放射状部６３、６５の各電極片６３ａ、６５ａの間隔と異なる間隔であるから、第１、第３の各放射状部６３、６５で発電した周波数と異なる周波数で発電することができる。
【００８１】
（実施形態５）
次に、図２０〜図２４を参照して、この発明を適用した電子腕時計の実施形態５について説明する。この場合には、図１〜図１０に示された実施形態１と同一部分に同一符号を付して説明する。
この電子腕時計は、発電装置７０が実施形態１と異なる構成であり、これ以外は実施形態１と同じ構成になっている。
【００８２】
すなわち、この発電装置７０は、図２０および図２２に示すように、回転板１７の下面に第１電極７１を設け、これに対向する裏蓋５の上面に第２電極７２を設けた構成になっている。この場合、回転板１７の下面には、図２２および図２３に示すように、第１電極７１が絶縁膜２３を介して設けられている。この絶縁膜２３は、実施形態１と同様、回転板１７の半円弧部２１における下面のほぼ全域に半円弧状に設けられている。
【００８３】
この絶縁膜２３上に設けられた第１電極７１は、回転板１７の回転中心部である軸孔１７ａから放射状に形成された放射状部７３を備えている。この放射状部７３は、図２３に示すように、回転板１７の半円弧部２１に設けられた絶縁膜２３上に多数の電極片７３ａが一定間隔で放射状に配列された構成になっている。すなわち、この放射状部７３は、多数の電極片７３ａがほぼ一定の幅で放射方向に向けて細長く形成されていると共に、互いに隣接する各電極片７３ａが一定間隔の隙間をもって配列されている。
【００８４】
また、この放射状部７３は、実施形態１と同様、多数の電極片７３ａがその内周端と外周端とにおいてすべて接続された状態で、絶縁膜２３の側方に導かれて回転板１７と電気的に接続されている。これにより、第１電極７３は、回転板１７および固定軸１８を介して回路基板９と電気的に接続されている。この場合にも、各電極片７３ａ上には、図２３に示すように、電荷保持体であるエレクトレット膜２５が形成されている。このエレクトレット膜２５は、実施形態１と同じ材料で形成されている。
【００８５】
一方、回転板１７に対向する基板である裏蓋５の上面には、図２０、図２２および図２４に示すように、第２電極７２が絶縁膜２７を介して設けられている。この絶縁膜２７は、図２４に示すように、回転板１７の第１電極７１が回転移動する移動軌跡上に対応する箇所に、第１電極７１とほぼ同じ大きさの半円弧状に設けられている。この絶縁膜２７の上面に設けられた第２電極７２は、実施形態１と同様、導電性を有する金属からなり、回転板１７の回転中心部である固定軸１８に対応する中心部から放射状に形成された放射状部７４を備えている。
【００８６】
この放射状部７４は、図２４に示すように、裏蓋５に設けられた絶縁膜２７に多数の電極片７４ａが一定間隔で放射状に配列された構成になっている。すなわち、この放射状部７４は、第１電極７１の放射状部７３と同様、多数の電極片７４ａがほぼ一定の幅で放射方向に向けて細長く形成されていると共に、互いに隣接する各電極片７４ａが一定間隔の隙間をもって配列されている。また、この放射状部７４は、多数の電極片７４ａがその内周端と外周端とにおいてすべて接続された状態で、絶縁膜２７の側方に導かれて裏蓋５と電気的に接続されている。この場合、裏蓋５は、リード線などの接続部材（図示せず）によって回路基板９と電気的に接続されている。
【００８７】
これにより、この発電装置７０は、回転板１７が回転して、回転板１７に設けられた第１電極７１が裏蓋５に設けられた第２電極７２に対して相対的に回転移動すると、第１電極７１の多数の電極片７３ａ上に形成されたエレクトレット膜２５と第２電極７２の多数の電極片７４ａとが相対的に移動して、第１電極７１の多数のエレクトレット膜２５と第２電極７２の多数の電極片７４ａとの間の誘導電荷量が変化することにより、発電して蓄電池３４に蓄電するように構成されている。
【００８８】
このような電子腕時計の発電装置７０によれば、腕時計ケース１の下面に設けられた平板状の基板である裏蓋５と、この裏蓋５の平面上を回転する回転板１７と、この回転板１７にその回転中心部である軸孔１７ａから放射状に形成された放射状部７３を備えた第１電極７１と、この第１電極７１の放射状部７３と対向するように裏蓋５上に形成された放射状部７４を備えた第２電極７２と、第１電極７１に形成された電荷保持体であるエレクトレット膜２５とを備えているので、実施形態１と同様、簡単な構造で、装置全体の小型化を図ることができると共に、効率良く発電することができる。
【００８９】
すなわち、この発電装置７０によれば、外部振動によって回転板１７が平板状の裏蓋５の平面上を回転する構成であるから、裏蓋５に対して回転板１７を固定軸１８によって一定間隔に保って回転させることができると共に、回転板１７に設けられた第１電極７１上に電荷保持体であるエレクトレット膜２５が形成され、この第１電極７１のエレクトレット膜２５と裏蓋５に設けられた第２電極７２とが相対的に回転移動するので、回転板１７の回転運動を効率良く電気エネルギに変換することができる。このため、構造が簡単で、装置全体の小型化を図ることができると共に、効率良く発電することができる。
【００９０】
この場合、第１電極７１の放射状部７３は、回転板１７の半円弧部２１にほぼ半円弧状に形成されており、第２電極７２の放射状部７４は、裏蓋５に第１電極７１の放射状部７３と同じ形状で同じ大きさの半円弧状に形成されていることにより、回転板１７が、必ずしも１回転（３６０°の角度回転）せず、腕の振りによる慣性力に応じた角度（例えば１８０°の角度）範囲で揺動する際に、第１電極７１の多数の電極片７３ａに形成されたエレクトレット膜２５を第２電極７２における多数の電極片７４ａの一部に常に対向させた状態で相対的に移動させることができるので、連続して発電することができる。
【００９１】
また、回転板１７が腕の振りによる慣性力に応じて連続して回転する際には、第１電極７１の放射状部７３が回転板１７の半円弧部２１にほぼ半円弧状に形成されていると共に、第２電極７２の放射状部７４が裏蓋５に第１電極７１の放射状部７３と同じ形状で同じ大きさの半円弧状に形成されていることにより、回転板１７が回転するときに、第１電極７１が第２電極７２の反対側に位置して第２電極７２に全く対面しない瞬間のときだけ、発電が途切れるが、これ以外のときは第１電極７１が第２電極７２の一部に対向するので、ほぼ連続して発電を行うことができる。
【００９２】
なお、上述した実施形態５では、裏蓋５の上面に設けられた第２電極７２の放射状部７４を、第１電極７１の放射状部７３と同じ形状で同じ大きさの半円弧状に形成した場合について述べたが、これに限らず、例えば図２５に示す変形例のように、裏蓋５の上面に設けられる第２電極７６の放射状部７７を、第１電極７１の放射状部７３の回転移動軌跡上に対応する円形リング状に形成した構成にしても良い。このように構成すれば、回転板１７の第１電極７１が常に第２電極７６に対応して回転移動するので、回転板１７がどのように回転しても、連続して発電することできると共に、回転速度に応じて発電を安定させることができる。
【００９３】
また、上述した実施形態１〜５およびその変形例では、回転板１７が小径の円形部２０と大径の半円弧部２１とを備えた構成である場合について述べたが、これに限らず、例えば図２６に示す変形例のように、回転板８０を円形の円板状に形成すると共に、その外周縁に錘部８１を半円弧状に設けた構成にしても良い。このように構成すれば、回転板８０に第１電極８２を円形のリング状に連続させて形成することできるので、上述した変形例と同様、回転板８０の第１電極８２を常に第２電極２６、４２、５２、６２、７６に対応させて回転移動させることができ、これにより回転板８０がどのように回転しても、連続して発電することできると共に、回転速度に応じて発電を安定させることができる。
【００９４】
また、上述した実施形態１〜５およびその各変形例では、第１電極２２、４１、５１、６１、７１、８２にエレクトレット膜２５を設けた場合について述べたが、必ずしも第１電極２２、４１、５１、６１、７１、８２にエレクトレット膜２５を設ける必要はなく、第１電極２２、４１、５１、６１、７１、８２に代えて第２電極２６、４２、５２、６２、７６にエレクトレット膜２５を設けた構成でも良い。このように構成しても、実施形態１〜５およびその各変形例と同様の作用効果がある。
【００９５】
なおまた、上述した実施形態１〜５およびその各変形例では、電子腕時計に適用した場合について述べたが、必ずしも電子腕時計などの時計である必要はなく、例えば携帯電話機や歩数計などの携帯型の電子機器にも適用することができるほか、自動車や電車などの走行車両の車軸に取り付けて使用することもできる。
【符号の説明】
【００９６】
１  腕時計ケース
５  裏蓋
６  時計モジュール
７  上部ハウジング
８  下部ハウジング
９  回路基板
１５  地板
１６、４０、５０、６０、７０  発電装置
１７、８０  回転板
１８  固定軸
２０  小径の円形部
２１  大径の半円弧部
２１ａ、８１  錘部
２２、４１、５１、６１、７１、８２  第１電極
２３、２７、４３、４５、５３、５５  絶縁膜
２４、４４、５４、７３  第１電極の放射状部
２４ａ、４４ａ、５４ａ、７３ａ  電極片
２５  エレクトレット膜
２６、４２、５２、６２、７２  第２電極
２８、４６、５６、７４  第２電極の放射状部
２８ａ、４６ａ、５６ａ、７４ａ  電極片
３４  蓄電池
６３、６４  第１電極の第１、第２の各放射状部
６３ａ、６４ａ  電極片
６５、６６  第２電極の第３、第４の各放射状部
６５ａ、６６ａ  電極片
【図１】
2010279192.tif 000003
【図２】
2010279192.tif 000004
【図３】
2010279192.tif 000005
【図４】
2010279192.tif 000006
【図５】
2010279192.tif 000007
【図６】
2010279192.tif 000008
【図７】
2010279192.tif 000009
【図８】
2010279192.tif 000010
【図９】
2010279192.tif 000011
【図１０】
2010279192.tif 000012
【図１１】
2010279192.tif 000013
【図１２】
2010279192.tif 000014
【図１３】
2010279192.tif 000015
【図１４】
2010279192.tif 000016
【図１５】
2010279192.tif 000017
【図１６】
2010279192.tif 000018
【図１７】
2010279192.tif 000019
【図１８】
2010279192.tif 000020
【図１９】
2010279192.tif 000021
【図２０】
2010279192.tif 000022
【図２１】
2010279192.tif 000023
【図２２】
2010279192.tif 000024
【図２３】
2010279192.tif 000025
【図２４】
2010279192.tif 000026
【図２５】
2010279192.tif 000027
【図２６】
2010279192.tif 000028